(57)【要約】【課題】複数の金種の紙幣を混在させて収納する混在庫を備える場合に、締上げ時に紙幣枚数に差異が生じるのを防止する手段を提供する。【解決手段】出金時に紙幣混在庫２５から繰出し鑑別した紙幣が金種不明のとき金種不明紙幣の枚数を記憶し、戻し処理のとき紙幣リジェクト庫２６内の紙幣を取り出させ、それを同金種の別の紙幣と入れ替えさせて紙幣入出金口２１に投入させ、その紙幣を鑑別して正券のときは紙幣混在庫２５に搬送し、紙幣混在庫２５内の金種ごとの枚数に加算し、すべての紙幣を鑑別した後、戻し処理前に記憶部８に記憶した金種不明の紙幣の枚数を利用して紙幣混在庫２５内の金種ごとの紙幣枚数を修正し、戻し処理を終了する。【選択図】図１
2010211252.tif 000002
【特許請求の範囲】
【請求項１】
紙幣が投入されると共に紙幣を排出する入出金口と、紙幣を鑑別して計数する鑑別部と、入金された複数の金種の紙幣を混在させて収納する混在庫と、出金処理で前記混在庫から繰出した紙幣の内出金対象でない紙幣および金種不明の紙幣を収納するリジェクト庫とを備えた現金管理装置であって、
前記混在庫および前記リジェクト庫別に、かつ金種ごとに紙幣の収納枚数を記憶する記憶手段を有し、
出金処理で前記混在庫から紙幣を繰出したとき、その紙幣を前記鑑別部で鑑別し、金種不明の紙幣であるとき前記記憶手段に記憶している前記混在庫の金種ごとの紙幣枚数を減算することなく、金種不明の紙幣の枚数を前記記憶手段に記憶し、
戻し処理を行うとき、前記リジェクト庫から取り出され前記入出金口に投入された紙幣を前記鑑別部で鑑別し、鑑別した紙幣が全て正券であった場合に、鑑別した紙幣を前記混在庫に搬送すると共に、前記記憶手段に記憶している混在庫内の金種ごとの紙幣枚数を加算し、
戻し処理前に前記記憶手段に記憶した金種不明の紙幣の枚数を利用して前記記憶手段に記憶している前記混在庫内の金種ごとの紙幣枚数を修正し、戻し処理を終了することを特徴とする現金管理装置。
【請求項２】
請求項１に記載の現金管理装置において、
戻し処理を行うとき、前記リジェクト庫から取り出され前記入出金口に投入された紙幣を前記鑑別部で鑑別し、鑑別した紙幣が全て正券であった場合に、鑑別した紙幣を前記混在庫に搬送すると共に、前記記憶手段に記憶している混在庫内の金種ごとの紙幣枚数を加算し、
今回の戻し処理で前記混在庫に搬送した紙幣枚数が、前記記憶手段に記憶した戻し処理前の前記リジェクト庫内の紙幣枚数を超え、その超えた枚数と前記記憶手段に記憶した金種不明の紙幣枚数との一致を確認したとき、前記混在庫に搬送した紙幣枚数を前記戻し処理前にリジェクト庫に収納していた金種ごとの紙幣枚数と一致するようにして、今回の戻し処理で計数した前記混在庫内の金種ごとの紙幣枚数を修正し、
戻し処理前に前記記憶手段に記憶した前記混在庫内に収納していた全紙幣枚数と前記リジェクト庫内の全紙幣枚数とを合計した枚数が、前記修正した金種ごとの紙幣枚数の合計枚数と一致したことを確認し、戻し処理を終了することを特徴とする現金管理装置。
【請求項３】
紙幣が投入されると共に紙幣を排出する入出金口と、紙幣を鑑別して計数する鑑別部と、入金された複数の金種の紙幣を混在させて収納する混在庫と、出金処理で前記混在庫から繰出した紙幣の内出金対象でない紙幣を収納する出金外紙幣収納庫と、前記混在庫から繰出した紙幣の内金種不明の紙幣のみを収納する不明券収納庫とを備えた現金管理装置であって、
前記混在庫および前記出金外紙幣収納庫、前記不明券収納庫別に、かつ金種ごとに紙幣の収納枚数を記憶する記憶手段を有し、
出金処理で前記混在庫から紙幣を繰出したとき、その紙幣を前記鑑別部で鑑別し、金種不明であるときは前記記憶手段に記憶している前記混在庫内の金種ごとの紙幣枚数を減算することなく、金種不明の紙幣の枚数を記憶し、
戻し処理のとき、前記出金外紙幣収納庫から取り出されて前記入出金口に投入された紙幣を前記鑑別部で鑑別し、正券である紙幣は前記混在庫に収納すると共に、その金種に応じて前記記憶手段に記憶している前記混在庫内の金種ごとの紙幣枚数を加算し、
投入された紙幣を全て前記混在庫に収納した後、今回の戻し処理で計数した前記混在庫の金種ごとの紙幣枚数が、戻し処理前に前記記憶手段に記憶していた前記混在庫の金種ごとの紙幣枚数と前記出金外紙幣収納庫の金種ごとの紙幣枚数とを合計した枚数と一致したことを確認し、戻し処理を終了することを特徴とする現金管理装置。
【請求項４】
請求項３に記載の現金管理装置において、
前記戻し処理のとき、前記出金外紙幣収納庫から取り出されて前記入出金口に投入された紙幣を前記鑑別部で鑑別し、正券である紙幣は前記混在庫に収納すると共に、その金種に応じて前記記憶手段に記憶している前記混在庫内の金種ごとの紙幣枚数を加算し、
投入された紙幣を全て前記混在庫に収納した後、今回の戻し処理で計数した前記混在庫の金種ごとの紙幣枚数が、戻し処理前に前記記憶手段に記憶していた前記混在庫の金種ごとの紙幣枚数と前記出金外紙幣収納庫の金種ごとの紙幣枚数とを合計した枚数と一致したとき、
前記不明券収納庫から紙幣を取り出させ、その紙幣を同金種の別の紙幣と入れ替えて前記入出金口に投入させ、投入された紙幣を前記鑑別部で鑑別し正券と確認し、その枚数を計数して計数した枚数と前記記憶手段に記憶した前記金種不明の紙幣の枚数とが一致したとき、その紙幣を前記混在庫内の金種ごとの紙幣枚数に加算せずに前記混在庫に収納することを特徴とする現金管理装置。
【発明の詳細な説明】
【技術分野】
【０００１】
本発明は、小売店等に設置されるレジスタに補充される釣銭用の現金の出金処理や、レジスタから回収した現金の入金処理、及び締上げ処理を行う現金管理装置に関し、特に複数金種の紙幣を混在させて収納する混在庫を備える場合のリジェクト紙幣の管理方法に関する。
【背景技術】
【０００２】
従来の現金管理装置は、入金が確定した紙幣を金種別に収納する紙幣収納庫と、偽券や外国紙幣等と鑑別されたリジェクト紙幣と紙幣収納庫に収納できない金種の紙幣を収納する紙幣リジェクト庫を有している（例えば、特許文献１参照。）。
【先行技術文献】
【特許文献】
【０００３】
【特許文献１】特開２００８−１８６１８９号公報（段落「００１５」−００１６」）
【０００４】
また一般に、上記の現金管理装置よりも小型の現金管理装置を用いる金融機関の店舗があり、そのような小型の現金管理装置は紙幣収納庫内には特定の１金種の紙幣のみを収納し、その他の金種の紙幣は全て混在させて紙幣混在庫に収納しており、出金処理で紙幣混在庫から紙幣を繰出す際、その収納されている紙幣の順番で紙幣を繰出してその紙幣を鑑別し出金対象の紙幣か否かを判断してから出金している。そのため出金対象ではない金種を繰出すことがあり、そのような紙幣を繰出したときは該紙幣を紙幣リジェクト庫に搬送して収納している。
【０００５】
従って、該紙幣リジェクト庫には運用上使えない紙幣が多数収納される状態が発生し、運用効率を上げるために該リジェクト紙幣を装置に戻す必要がある（以下、「戻し処理」という）。
【０００６】
また、紙幣混在庫から繰出した紙幣の内、リジェクト紙幣と鑑別した紙幣は紙幣リジェクト庫に搬送している。さらに紙幣混在庫と紙幣リジェクト庫に収納している金種ごとの紙幣枚数を記憶して管理している。
【発明の開示】
【発明が解決しようとする課題】
【０００７】
しかしながら、上述した従来の技術においては、紙幣混在庫や紙幣リジェクト庫内の金種別の紙幣枚数を記憶しているが、紙幣混在庫から繰出した紙幣が金種不明であった場合にはどの金種を繰出したか判断できない。そこで紙幣混在庫に収納されている紙幣をリジェクト紙幣と鑑別した場合、紙幣混在庫に収納されている紙幣をもとに、繰出した可能性が最も高い金種、つまり収納枚数が最も多い金種の紙幣枚数を減算していた。
【０００８】
そのため、戻し処理において実際に現金管理装置内に収納している金種ごとの紙幣枚数と、それまで計数して記憶していた金種ごとの紙幣枚数とに差異が生じてしまうという問題がある。
【０００９】
本発明は、上記の問題点を解決するための手段を提供することを目的とする。
【課題を解決するための手段】
【００１０】
本発明は、上記課題を解決するために、紙幣が投入されると共に紙幣を排出する入出金口と、紙幣を鑑別して計数する鑑別部と、入金された複数の金種の紙幣を混在させて収納する混在庫と、出金処理で前記混在庫から繰出した紙幣の内出金対象でない紙幣および金種不明の紙幣を収納するリジェクト庫とを備えた現金管理装置であって、前記混在庫および前記リジェクト庫別に、かつ金種ごとに紙幣の収納枚数を記憶する記憶手段を有し、出金処理で前記混在庫から紙幣を繰出したとき、その紙幣を前記鑑別部で鑑別し、金種不明の紙幣であるとき前記記憶手段に記憶している前記混在庫の金種ごとの紙幣枚数を減算することなく、金種不明の紙幣の枚数を前記記憶手段に記憶し、戻し処理を行うとき、前記リジェクト庫から取り出され前記入出金口に投入された紙幣を前記鑑別部で鑑別し、鑑別した紙幣が全て正券であった場合に、鑑別した紙幣を前記混在庫に搬送すると共に、前記記憶手段に記憶している混在庫内の金種ごとの紙幣枚数を加算し、戻し処理前に前記記憶手段に記憶した金種不明の紙幣の枚数を利用して前記記憶手段に記憶している前記混在庫内の金種ごとの紙幣枚数を修正し、戻し処理を終了することを特徴とする。
【発明の効果】
【００１１】
これにより、本発明は、紙幣混在庫から繰出した紙幣の内、金種不明と鑑別した紙幣が発生したときにそれを出金リジェクト紙幣とし、その枚数は出金リジェクト枚数として計数し、記憶している紙幣混在庫内の金種ごとの紙幣枚数は減算しないようにしているので、戻し処理で金種不明の紙幣を含んだ紙幣リジェクト庫の紙幣を取り出して投入し、紙幣混在庫へ装填した場合に、実際に紙幣混在庫に収納されている金種ごとの紙幣枚数と記憶部に記憶している紙幣混在庫内の金種ごとの紙幣枚数と一致するようになるという効果が得られる。
【図面の簡単な説明】
【００１２】
【図１】実施例１の現金管理装置を示す説明図
【図２】紙幣収納枚数に関するテーブルを示す説明図
【図３】実施例２の現金管理装置を示す説明図
【発明を実施するための最良の形態】
【００１３】
以下に、図面を参照して本発明による現金管理装置の実施例について説明する。
【実施例１】
【００１４】
図１は実施例１の現金管理装置を示す説明図である。
【００１５】
本実施例の現金管理装置は、レジスタを使用する小売店等に設置されるもので、図１において１は硬貨（現金）の入出金処理を行う硬貨取扱部、２は紙幣（現金）の入出金処理を行う紙幣取扱部である。
【００１６】
硬貨取扱部１は、硬貨を一括して受け入れる硬貨入金口と、この硬貨入金口に受け入れた硬貨を１枚ずつ分離する分離部と、硬貨の金種等を鑑別して金種ごとの硬貨枚数を計数する硬貨鑑別部と、この硬貨鑑別部で鑑別計数された硬貨を一時保留する硬貨一時保留部と、入金硬貨を金種別に収納する硬貨収納庫と、出金取引において硬貨収納庫から繰出した硬貨の内金種を鑑別できなかった硬貨を収納する硬貨リジェクト部等を備えている。
【００１７】
一方、紙幣取扱部２は、紙幣入出金口２１と、この紙幣入出金口２１に受け入れた紙幣を１枚ずつ分離する図示しない分離部、紙幣鑑別部２２、紙幣一時保留部２３、紙幣収納庫２４、紙幣混在庫２５、紙幣リジェクト庫２６、これら各部に紙幣を挟持して搬送する搬送路等を備えている。
【００１８】
紙幣入出金口２１は、入金処理時にレジスタから回収した紙幣を一括して受け入れる紙幣の投入口として機能すると共に、出金処理時に釣銭としての紙幣を排出する排出口としても機能する。
【００１９】
紙幣鑑別部２２は、紙幣の金種等を鑑別すると共に鑑別した紙幣を金種毎に計数する。
【００２０】
紙幣一時保留部２３は、紙幣鑑別部２２で鑑別計数された紙幣を集積して一時保留する。
【００２１】
紙幣収納庫２４は、レジスタ用の釣銭準備金として使用する特定の１金種（本実施例では、千円券とする。）の紙幣を収納する。
【００２２】
紙幣混在庫２５は、上記の紙幣収納庫２４が収納する金種以外の金種（本実施例では、２千円券、５千円券、１万円券とする。）の紙幣を混在させて収納する。
【００２３】
紙幣リジェクト庫２６は、金種不明と鑑別された紙幣を収納する他、出金処理で紙幣混在庫２５から繰出された紙幣の内、出金対象ではない金種の紙幣の搬送先として用いられ、そのような出金対象ではない紙幣を収納する。
【００２４】
これは、紙幣混在庫２５が複数の金種の紙幣を収納するため、出金処理で紙幣を繰出す場合、指定された金種の紙幣が繰出されるまで紙幣を順次搬送しているため、紙幣混在庫２５から繰出した紙幣で出金対象ではない紙幣は紙幣リジェクト庫２６に収納するようにしている。
【００２５】
なお、上記の紙幣一時保留部２３や紙幣収納庫２４、紙幣混在庫２５には紙幣を搬送路に繰出す繰出し手段が設けられている。
【００２６】
２４ａは紙幣検知センサであり、紙幣収納庫２４手前の搬送路に設けられて紙幣収納庫２４に搬送されてきた紙幣を検知する。
【００２７】
２５ａは紙幣混在庫２５手前の搬送路に設けられた紙幣検知センサあり、紙幣混在庫２５に搬送されてきた紙幣を検知する。
【００２８】
２６ａは紙幣リジェクト庫２６手前の搬送路に設けられた紙幣検知センサであり、紙幣リジェクト庫２６に搬送されてきた紙幣を検知する。
【００２９】
３はＬＣＤ等による表示部で、各種の処理操作の案内、現金処理のための入力画面や入力された情報、及び金種別の入出金金額や入出金の合計金額等を表示する。
【００３０】
４は操作部であり、レジスタの現金を入出金する係員や売上の締めを行う管理者が操作し、入金処理や出金処理、締上げ処理、回収処理等を行うことを指示（入力）するためのキーや金額等を入力するためのテンキー等からなるキーボードあるいは表示部３上に配置されたタッチパネル等を備えている。
【００３１】
５はカードリーダで、当該現金管理装置の利用者である係員や管理者等がそれぞれ携帯するＩＤカードの情報を読取る機能を有している。
【００３２】
ＩＤカードには装置利用者である係員、管理者、現金回収者を識別するための区分情報が記録されており、これら係員、管理者、現金回収者に該当する区分情報が記録されたＩＤカードが配布されている。
【００３３】
尚、係員用のＩＤカードには、店舗Ｎｏなどの係員が居る店舗を特定する情報や、レジ番号などのレジスタを特定する情報も記録されている。
【００３４】
この係員用のＩＤカードは、レジスタ毎または係員毎に用意され、係員毎に配布する場合、係員が複数のレジスタを操作するのであれば、使用するレジスタ毎にＩＤカードが与えられる。
【００３５】
６は伝票印刷部（印刷部）で、硬貨取扱部１や紙幣取扱部２で行われた入金処理や出金処理の金額、金種別枚数等を伝票に記録（印字）して出力するものである。
【００３６】
７は制御部であり、記憶部８に格納された制御プログラムに基づいて装置全体の制御を行って各種取引処理を遂行する。
【００３７】
また、制御部７は、上述した紙幣検知センサ２４ａによって、紙幣収納庫２４に収納された紙幣枚数を計数するための紙幣カウンタを実現し、また紙幣検知センサ２５ａにより紙幣混在庫２５に収納される紙幣をその金種ごとに計数する混在紙幣カウンタを実現する。さらに、制御部７は紙幣検知センサ２６ａによって、紙幣リジェクト庫２６に搬送されて収納される紙幣の枚数をその金種ごとに計数するリジェクト紙幣カウンタを実現する。
【００３８】
８は記憶部で、制御部７が実行する制御プログラムが格納され、更に主制御部による処理結果も記憶するものとなっている。
【００３９】
ここで、図２は記憶部が記憶する紙幣収納枚数に関するテーブルを示す説明図であり、（ａ）は紙幣収納庫２４内に収納している千円券の枚数を示し、（ｂ）は紙幣混在庫２５に収納している２千円券、５千円券、１万円券の枚数に加えて、紙幣混在庫２５から繰出された紙幣の内、金種不明であった金種不明紙幣枚数とを示し、（ｃ）は紙幣リジェクト庫２６内の千円券、２千円券、５千円券、１万円券の枚数と金種不明である紙幣の枚数とを示している。
【００４０】
なお、図２（ｂ）に示す金種不明紙幣枚数は、紙幣混在庫２５から繰出された金種不明の紙幣が対象であることから、減算して計数するためにその枚数はマイナスの値をとる。
【００４１】
記憶部８は、図２に示すように紙幣収納庫２４に収納した紙幣（千円券）の枚数や、紙幣混在庫２５内および紙幣リジェクト庫２６内に収納された金種ごとの紙幣（２千円券、５千円券、１万円券）の枚数、紙幣混在庫２５から出金された紙幣の内金種不明として紙幣リジェクト庫２６に搬送された紙幣の枚数、紙幣リジェクト庫２６に収納されている金種不明である紙幣の枚数を記憶するテーブルを有している。
【００４２】
上述した構成の作用について、特に紙幣枚数の計数処理について説明する。
そのため硬貨を取扱う処理に関する説明は省略する。
【００４３】
先ず、レジスタから回収した紙幣を入金する入金処理を行う場合について説明する。
係員は、ＩＤカードをカードリーダ５に読取らせるための操作を行う。
これによって現金管理装置の制御部７は、カードリーダ５によってＩＤカードから利用者の区分、レジＮｏとを読取る。
【００４４】
制御部７は、表示部３に係員の個人ＩＤ（利用者ＩＤ）、パスワードの入力を促す画面を表示し、係員が操作部４を操作して自分の個人ＩＤ（利用者ＩＤ）、パスワードを入力すると、入力された個人ＩＤ、パスワードを予め記憶部８等に登録されている個人ＩＤ、パスワードと照合し、正当であることを確認する。
【００４５】
制御部７は、ＩＤカードから読取った利用者区分に基づき、係員が操作可能な「出金」、「入金」を選択するメニュー画面を表示部３に表示する。
【００４６】
係員は、操作部４を操作してメニュー画面から「入金」を選択する。
【００４７】
制御部７は、係員によってメニュー画面から「入金」の選択入力を受付けると、紙幣入出金口２１に設けられているシャッタを開放する。
【００４８】
制御部７は、係員がレジスタから回収した紙幣を紙幣入出金口２１に投入すると、その紙幣を受け入れて紙幣鑑別部２２で鑑別、計数して紙幣一時保留部２３に集積して一時保留する。
【００４９】
制御部７は、金種ごとの枚数および金額、全金種の合計額を計数結果として表示部３に表示し、係員に金額を確認させて収納の可否（ＯＫ／ＮＧ）を入力させ、その入力された確認結果がＯＫの場合、一時保留した紙幣を紙幣鑑別部２２へと搬送して紙幣を再度鑑別し、その鑑別した紙幣の内、千円札を紙幣回収庫２４に搬送して収納し、その他の金種の紙幣を紙幣混在庫２５に搬送して収納する。
【００５０】
なお、制御部７は確認結果がＮＧの場合は一時保留した紙幣は紙幣入出金口２１に搬送して排出することで係員に返却して入金処理を終了する。
【００５１】
制御部７は、千円券と鑑別した紙幣を紙幣検知センサ２４ａで検知したときに記憶部８のテーブルに記憶している紙幣収納庫２４内の紙幣枚数を加算して記憶する。
【００５２】
また、紙幣鑑別部２２での鑑別結果によって２千円券、５千円券、１万円券と鑑別した紙幣を紙幣検知センサ２５ａで検知したときに、当該紙幣の金種に応じた記憶部８のテーブルに記憶している紙幣混在庫２５内の紙幣枚数を加算、つまり５千円券と鑑別した紙幣を検知した場合は、記憶部８のテーブルに記憶している紙幣混在庫２５内の５千円券の枚数に１を加算してテーブルの内容を更新する。
【００５３】
そして、制御部７は全ての紙幣を収納すると、今回の処理結果として通番、レジＮｏ、利用者ＩＤ、処理日時、区分、計数金額等を記憶部８に記憶し、更に伝票印刷部６で処理結果を印字した入金伝票を係員に発行して入金処理を終了する。
【００５４】
次に、出金処理について説明する。
【００５５】
出金処理では、係員が操作部４を操作して紙幣の出金パターン等を入力すると、制御部７は入力された出金パターンに従って紙幣収納庫２４および紙幣混在庫２５から紙幣の繰出しを開始する。
【００５６】
ここでは千円券、５千円券を各１０枚ずつ出金するものとし、制御部７は先ず紙幣収納庫２４から千円券の繰出しを開始し、紙幣を紙幣鑑別部２２に搬送して鑑別を行い、鑑別結果から正券を１０枚鑑別するまで繰出しを続け、正券であった紙幣を紙幣入出金口２１に搬送する。
【００５７】
なお制御部７は、紙幣鑑別部２２によって鑑別した千円券に欠損等があって出金する紙幣として適さない紙幣については当該紙幣を紙幣リジェクト庫２６に搬送して収納する。
【００５８】
これによって、制御部７は、記憶部８のテーブルに記憶している紙幣収納庫２４内の紙幣枚数から、繰出した千円札の枚数を減算すると共に、繰出した千円札の内、欠損等があって紙幣リジェクト庫２６に搬送した千円札については記憶部８に記憶している紙幣リジェクト庫２６内の千円券の枚数に加算する。
【００５９】
次に、制御部７は、紙幣混在庫２５からの紙幣の繰出しを開始し、紙幣鑑別部２２に紙幣を搬送して鑑別を行い、５千円券である紙幣を１０枚鑑別するまで紙幣の繰出しを続けて、５千円券は紙幣入出金口２１に搬送する。
【００６０】
一方制御部７は、２千円券や１万円券と鑑別した紙幣および鑑別結果は５千円券であるが欠損等があって出金に適さない紙幣については紙幣リジェクト庫２６に搬送して収納する。
【００６１】
また、制御部７は紙幣鑑別部２２で鑑別した紙幣の金種をもとに、記憶部８のテーブルに記憶している紙幣混在庫２５内の該当する金種の枚数を減算し、さらにその紙幣を紙幣検知センサ２６ａで検知したときは、テーブルに記憶している紙幣リジェクト庫２６内の該当する金種の枚数を加算する、つまり紙幣混在庫２５から繰出した紙幣が２千円券と鑑別したときはテーブルに記憶している紙幣混在庫２５内の２千円券の枚数を１減算し、その２千円を紙幣検知センサ２６ａで検知したときにテーブルに記憶している紙幣リジェクト庫２６内の２千円券の枚数に１を加算する。
【００６２】
制御部７は、紙幣混在庫２５から繰出した紙幣であって、紙幣鑑別部２２で金種不明と鑑別された紙幣は紙幣リジェクト庫２６に搬送して収納する。
【００６３】
紙幣混在庫２５から繰出した紙幣が金種不明の場合、制御部７は記憶部８のテーブルに記憶している紙幣混在庫２５から出金された紙幣の内金種不明で紙幣リジェクト庫２６に搬送した金種不明紙幣の枚数から１を減算すると共に、紙幣リジェクト庫２６に収納されている金種不明の紙幣枚数に１を加算する。
【００６４】
このように、紙幣混在庫２５から繰出した紙幣が金種不明のときは、記憶部８のテーブルに記憶している紙幣混在庫２５内の金種別の紙幣枚数は減算せずに、金種不明紙幣の枚数を減算する。
【００６５】
次に戻し処理について説明する。
【００６６】
紙幣リジェクト庫２６に収納されている紙幣を紙幣収納庫２４または紙幣混在庫２５に収納させる戻し処理を行う係員は、操作部４によって戻し処理を開始するためのキー入力等の操作を行う。
【００６７】
制御部７は、戻し処理のキー入力がなされると、記憶部８に記憶している紙幣収納庫２４と、紙幣混在庫２５、紙幣リジェクト庫２６に収納している紙幣の各金種枚数と紙幣混在庫２５の不明金種枚数の合計枚数を算出し、補充前の枚数として記憶部８に記憶する。
【００６８】
制御部７は、手動で紙幣リジェクト庫２６から紙幣を取り出して紙幣入出金口２１に投入するように促す画面を表示部３に表示する。係員は表示された画面に従って現金管理装置の筐体を開き紙幣リジェクト庫２６を引き出して紙幣リジェクト庫２６内の紙幣を全て取り出す。
【００６９】
係員は、その取り出した紙幣を確認し折れや破れ等の欠損があるものは同金種の別の紙幣と交換しておき、それらの紙幣を紙幣入出金口２１に投入する。
【００７０】
なお、制御部７は、紙幣リジェクト庫２６が引き出されたことを図示しないセンサによって検知したときに、それまで記憶部８のテーブルに記憶していた紙幣リジェクト庫２６内の各金種の紙幣枚数を初期化して０とする。
【００７１】
制御部７は、紙幣が紙幣入出金口２１に投入されると、投入された紙幣を受け入れて紙幣鑑別部２２に搬送し、紙幣鑑別部２２よって紙幣の鑑別を行う。
ここでは、紙幣は全て正券であったものとして説明する。
【００７２】
制御部７は、鑑別結果から正券である紙幣をその金種に応じて紙幣収納庫２４または紙幣混在庫２５に搬送して収納する。
【００７３】
制御部７は、紙幣検知センサ２４ａで紙幣を検知したときに記憶している紙幣収納庫２４内の紙幣枚数を加算し、紙幣検知センサ２５ａで紙幣を検知したときにその紙幣の鑑別結果の金種に応じて記憶している紙幣混在庫２５内の金種ごとの紙幣枚数を加算していく。
【００７４】
なお、上記で係員が紙幣リジェクト庫２６から取り出した紙幣に金種不明の紙幣が含まれていたが、係員が紙幣を確認した際に金種不明の紙幣が欠損のある紙幣であって別の紙幣と交換していた場合、金種不明であった紙幣が正券となることで、紙幣混在庫２５に搬送される正券の紙幣枚数が、戻し処理前に紙幣リジェクト庫２６内に収納されていた正券の紙幣枚数よりも多くなってしまうが、その多くなる分は元々金種不明の紙幣であることが明らかであり、戻し処理で紙幣混在庫２５に搬送される金種ごとの紙幣の枚数が、戻し処理前に紙幣リジェクト庫２６の該当する金種の紙幣の枚数を超える。
【００７５】
そこで、制御部７は、記憶部８に記憶した戻し処理前の紙幣混在庫２５内の金種不明紙幣枚数を紙幣混在庫２５内の紙幣枚数から差し引いて当該超える分の枚数が紙幣混在庫２５内の金種ごとの紙幣枚数に加算しないようにすることで、戻し処理で紙幣混在庫２５に搬送された金種ごとの紙幣枚数が記憶部８に記憶した戻し処理前の紙幣混在庫２５の紙幣枚数と同じになるようにし、戻し処理の間に計数した紙幣混在庫２５内の金種ごとの紙幣枚数を修正する。
【００７６】
制御部７は全ての紙幣の繰出しが終わった後、上記で加算した紙幣収納庫２４内の千円券および紙幣混在庫２５内の２千円券、５千円券、１万円券の枚数を読み出し合計枚数を算出すると共に、記憶した補充前枚数を読み出して、枚数の突合せを行って一致を確認する。
【００７７】
ここで、金種不明であった分の紙幣を含めて紙幣混在庫２５から取り出された紙幣を紙幣混在庫２５に収納しているにもかかわらず、補充前枚数との突合せが一致するのは、上述の戻し処理で紙幣混在庫２５に収納した紙幣の内、金種不明の紙幣に対しては、記憶している紙幣混在庫２５の金種ごとの紙幣枚数を加算しないようにしているためである。
【００７８】
制御部７は、表示部３に戻し処理が正常に終了したことを示す画面等を表示し、記憶部８に記憶していた紙幣混在庫２５の金種不明紙幣の枚数を初期化して０にする。
【００７９】
一方、制御部７は戻し処理が正常に終了しなかった場合、すなわち金種不明の紙幣を紙幣入出金口２１に投入したのち、紙幣鑑別部２２で鑑別した紙幣に金種不明の紙幣が含まれていた場合は、その金種不明の紙幣を紙幣リジェクト庫２６へ搬送する。
【００８０】
そして、表示部３に紙幣リジェクト庫２６内の金種不明の紙幣を同金種の新たな紙幣と入れ替えるように促すと共に、現金管理装置内の全ての紙幣を精査（再計数）するように促す画面を表示する。
【００８１】
以上説明したように、本実施例では、紙幣混在庫から繰出した紙幣の内、金種不明と鑑別した紙幣が発生したときにそれを金種不明の紙幣とし、その枚数は紙幣リジェクト庫の金種不明の紙幣枚数として計数し、記憶している紙幣混在庫内の金種ごとの紙幣枚数は減算しないようにすると共に紙幣混在庫内の金種不明の紙幣枚数を減算しているので、戻し処理で金種不明の紙幣を含んだ紙幣リジェクト庫の紙幣を取り出して投入し、金種不明の紙幣が正しく鑑別され再び装置内へ収納されたとき、実際に紙幣混在庫に収納されている金種ごとの紙幣枚数と記憶部に記憶している紙幣混在庫内の金種ごとの紙幣枚数と一致することとなる。
【００８２】
よって、紙幣取扱部に実際に収納している金種ごとの紙幣枚数と、計数し記憶していった紙幣枚数とを確実に一致させることができる。
【実施例２】
【００８３】
図３は実施例２の現金管理装置を示す説明図である。
【００８４】
本実施例では、上記実施例１の紙幣リジェクト庫の代わりに出金外紙幣収納庫と、不明券収納庫を設けている点が相違する。
【００８５】
なお、上記実施例１と同様の部分は、同一の符号を付してその説明を省略する。
【００８６】
図３において、３０は出金外紙幣収納庫であり、出金処理で紙幣混在庫２５から繰出された紙幣の内、出金対象外の紙幣を収納する他、紙幣収納庫２４から繰出された紙幣において欠損等で出金には適していない紙幣を収納する。
【００８７】
３０ａは紙幣検知センサであり、搬送路における出金外紙幣収納庫３０手前に設けられて出金外紙幣収納庫３０に搬送される紙幣を検知する。
【００８８】
３１は、不明券収納庫であり、出金処理で紙幣混在庫２５から繰出された紙幣で金種不明と鑑別された紙幣を収納する。
【００８９】
３１ａは不明券検知センサであり、搬送路における不明券収納庫３１手前に設けられて不明券収納庫３１に搬送される紙幣を検知する。
【００９０】
制御部７は、紙幣検知センサ３０ａによって出金外紙幣収納庫３０に収納された紙幣の金種ごとの枚数を計数する紙幣枚数カウンタを実現すると共に、不明券検知センサ３１ａによって不明券収納庫３１に収納される金種不明の紙幣枚数を計数する金種不明枚数カウンタを実現する。
【００９１】
本実施例の記憶部８は、出金外紙幣収納庫３０に収納されている金種ごとの紙幣枚数を記憶すると共に、不明券収納庫３１に収納される金種不明の紙幣枚数を記憶する。
【００９２】
上述した構成の作用について説明する。
【００９３】
本実施例では、出金処理において紙幣収納庫２４や紙幣混在庫２５から繰出された紙幣の鑑別結果に応じ、出金外紙幣収納庫３０と不明券収納庫３１の何れかに収納する。
【００９４】
また、戻し処理において出金外紙幣収納庫３０内の紙幣と、不明券収納庫３１内の紙幣を別々に再投入させるために、制御部７は表示部３に出金外紙幣収納庫３０の紙幣を投入するか、不明券収納庫３１の紙幣を投入するかを選択する選択キー等を配した選択画面を表示部３に表示する。
【００９５】
係員は、出金外紙幣収納庫３０の紙幣を投入する場合、表示部３に表示されている選択画面から出金外紙幣収納庫３０の紙幣を投入するための選択キーを操作部４から入力する。
【００９６】
制御部７は、記憶している紙幣収納庫２４と紙幣混在庫２５、出金外紙幣収納庫３０のそれぞれに収納している紙幣枚数を読み出し、読み出した各紙幣枚数から金種ごとの合計枚数を算出すると共に、記憶している不明券収納庫３１内の金種不明の紙幣枚数を読み出して、算出した金種ごとの合計枚数を補充前枚数として記憶し、読み出した金種不明の紙幣枚数は補充前金種不明の紙幣枚数として記憶部８に記憶しておく。
【００９７】
係員が、例えば図示しない現金管理装置の筐体の扉を開いて出金外紙幣収納庫３０を引き出して収納されている紙幣を取り出し、出金外紙幣収納庫３０を内部に戻して扉を閉じると、制御部７は記憶部８に記憶している出金外紙幣収納庫３０に収納している各金種の紙幣枚数を初期化して０にする。
【００９８】
制御部７は、係員により紙幣入出金口２１に紙幣が投入されると、投入された紙幣を受け入れて紙幣鑑別部２２で鑑別して、正券であることを確認すると、その金種に応じて紙幣を紙幣収納庫２４または紙幣混在庫２５に搬送して収納する。
【００９９】
制御部７は、紙幣検知センサ２４ａで紙幣を検知したときに紙幣鑑別部２２で鑑別した金種が紙幣収納庫２４に収納されるものとし、記憶している紙幣収納庫２４内の紙幣枚数に１を加算し、同様にして紙幣検知センサ２５ａで紙幣を検知したときにその紙幣の鑑別結果の金種に応じて記憶している紙幣混在庫２５内の金種ごとの紙幣枚数を加算する。
【０１００】
制御部７は、記憶している補充前紙幣枚数と今回の戻し処理で計数した紙幣収納庫２４内の紙幣枚数、紙幣混在庫２５内の金種ごとの紙幣枚数を読み出し、紙幣収納庫２４内の紙幣枚数および紙幣混在庫２５内の金種ごとの紙幣枚数を補充前紙幣枚数と突合せを行ってその一致を確認する。
【０１０１】
このとき、制御部７は不明券収納庫３１の紙幣の投入を開始するためのキー等を配した画面を表示部３に表示し、係員は表示されたキーを操作部４によって入力する。
【０１０２】
制御部７は、不明券収納庫３１から金種不明の紙幣の取り出しを促すと共に、取り出した金種不明の紙幣を紙幣入出金口２１への投入を促す旨を表示部３に表示する。
【０１０３】
係員は図示しない現金管理装置の筐体の扉を開いて不明券収納庫３１を引き出す等して収納されている金種不明の紙幣を取り出して、不明券収納庫３１を戻して扉を閉じてから、取り出した金種不明の紙幣を紙幣入出金口２１に投入する。
【０１０４】
なお、制御部７は引き出された不明券収納庫３１が戻されて扉の閉を検知する等によって、不明券収納庫３１から紙幣が取り出されたものと判断しそれまで記憶していた不明券収納庫３１内の金種不明の紙幣枚数を初期化して０にする。
【０１０５】
制御部７は、記憶部８に記憶している補充前金種不明の紙幣枚数を読み出し、投入され鑑別計数した金種不明の紙幣枚数と補充前金種不明の紙幣枚数とを比較し、その一致を確認できた場合には正常に戻し処理が完了したとして終了する。
【０１０６】
一方、一致しなかった場合には、金種不明の紙幣を同金種の新たな紙幣と入れ替えて紙幣入出金口２１に投入するように促す画面を表示部３に表示する。
【０１０７】
表示された画面に従って、係員は紙幣を紙幣入出金口２１に投入する。
【０１０８】
制御部７は、投入された紙幣を受け入れて紙幣鑑別部２２で鑑別し、正券と確認し、その紙幣は計数しないで紙幣混在庫２５に搬送して収納する。
【０１０９】
制御部７は、紙幣が再投入されると、その紙幣を搬送して紙幣鑑別部２２によって正券であることを確認し、紙幣混在庫２５に収納して戻し処理を終了する。
【０１１０】
以上説明したように、本実施例では、上記実施例１の効果に加えて、紙幣混在庫から繰出した紙幣で出金対象外の紙幣を出金外紙幣収納庫に収納し、金種不明の紙幣を不明券収納庫に収納することによって、係員にとっては金種不明の紙幣と正券とを明確に認識でき、戻し処理で再び金種不明と鑑別された場合でも、装置内の紙幣を精査（再計数）することを回避でき、また戻し処理で再び金種不明と鑑別された場合でも、その紙幣は不明券であるため手作業による不良紙幣交換が容易となり、これによってさらに業務効率の向上を図ることができる。
【０１１１】
なお、上記各実施例においては、紙幣を用いた場合を例に説明したが、紙幣の場合に限らず複数の金種の硬貨を混在させて収納する硬貨混在庫を有する現金管理装置に適用し、締上げ処理で硬貨枚数に差異が生じるのを防止するようにしてもよい。
【符号の説明】
【０１１２】
１    硬貨取扱部
２    紙幣取扱部
３    表示部
４    操作部
５    カードリーダ
６    伝票印刷部
７    制御部
８    記憶部
２１  紙幣入出金口
２２  紙幣鑑別部
２３  紙幣一時保留部
２４  紙幣収納庫
２５  紙幣混在庫
２６  紙幣リジェクト庫
３０  出金外紙幣収納庫
２４ａ、２５ａ、２６ａ、３０ａ  紙幣検知センサ
３１  不明券収納庫
３１ａ  不明券検知センサ
【図１】
2010211252.tif 000003
【図２】
2010211252.tif 000004
【図３】
2010211252.tif 000005